【手続補正書】
【提出日】平成17年3月18日(2005.3.18)
【手続補正１】
【補正対象書類名】明細書
【補正対象項目名】請求項１
【補正方法】変更
【補正の内容】
【請求項１】
交流電源から供給された正弦波交流電圧を直流電圧に変換するためのスイッチング電源装置であって、
交流電圧を供給するための第１及び第２の交流入力端子（１、２）と、
前記第１及び第２の交流入力端子（１、２）に接続され且つ第１及び第２の整流出力導体を有している整流回路（４）と、
前記整流回路の前記第１の整流出力導体に接続された一端を有している主インダクタンス巻線（Ｌ1）と、
前記主インダクタンス巻線（Ｌ1）の他端に接続された第１の主端子と前記整流回路の前記第２の整流出力導体に接続された第２の主端子と制御端子とを有している第１の主スイッチ（Ｑ1）と、
第１の主スイッチ（Ｑ1）に並列に接続されたコンデンサ又は寄生容量から成る第１のソフトスイッチング用キャパシタンス手段（Ｃｑ1）と、
整流ダイオ−ド（Ｄ1）を介して前記第１の主スイッチ（Ｑ1）に並列に接続された平滑用コンデンサ（Ｃ1）と、
主巻線（Ｎ１）を有しているトランスと、
前記主巻線（Ｎ１）を介して前記平滑用コンデンサ（Ｃ1）の前記一端に接続された第１の主端子と前記平滑用コンデンサ（Ｃ1）の前記他端に接続された第２の主端子と制御端子とを有している第２の主スイッチ（Ｑ2）と、
前記第２の主スイッチ（Ｑ２）に並列に接続されたコンデンサ又は寄生容量から成る第２のソフトスイッチング用キャパシタンス手段（Ｃｑ2）と、
直流電圧を得るために前記トランスに接続された整流平滑回路（６又は６ａ）と、
前記主インダクタンス巻線（Ｌ1）の一端又は他端に接続された一端を有し且つ前記主インダクタタンス巻線（Ｌ1）に電磁結合されている第１の補助インダクタンス巻線（Ｌａ）と、
前記第１の補助インダクタンス巻線（Ｌａ）の他端に接続された第１の主端子と前記整流回路（４）の前記第２の整流出力導体に接続された第２の主端子と制御端子とを有している補助スイッチ（Ｑ3）と、
前記第１の補助インダクタンス巻線（Ｌａ）に直列に接続された第１の逆流阻止用ダイオ−ド（Ｄａ）と、
前記平滑用コンデンサ（Ｃ1）の前記一端と前記第２の主スイッチ（Ｑ2）の前記第１の主端子との間の任意の位置（Ｐ2又はＰ3又はＰ4）に接続された一端と前記補助スイッチ（Ｑ3）の前記第１の主端子に接続された他端とを有し且つ前記主巻線（Ｎ1）に電磁結合されている第２の補助インダクタンス巻線（Ｌｂ）と、
前記第２の補助インダクタンス巻線（Ｌｂ）に直列に接続された第２の逆流阻止用ダイオ−ド（Ｄｂ）と、
前記第１及び第２の主スイッチ（Ｑ1、Ｑ2）の前記制御端子及び前記補助スイッチ（Ｑ３）の前記制御端子にそれぞれ接続され、前記第１及び第２の交流入力端子（１、２）間の交流電圧の周波数よりも高い繰返し周波数で前記第１の主スイッチ（Ｑ1）をオン・オフ制御するための第1の制御信号（Ｖｇ1）を形成し、この第1の制御信号（Ｖｇ1）を前記第1の主スイッチ（Ｑ1）に供給する第１の機能と、前記平滑用コンデンサ（Ｃ1）の直流電圧を前記主巻線（Ｎ1）に断続的に印加するように前記第２の主スイッチ（Ｑ2）をオン・オフ制御するための第2の制御信号（Ｖｇ2）を形成し、この第2の制御信号（Ｖｇ2）を前記第2の主スイッチ（Ｑ2）に供給する第２の機能と、前記第１の主スイッチ（Ｑ1）のタ−ンオン時及び前記第２の主スイッチ（Ｑ2）のタ−ンオン時に前記第１及び第２の主スイッチ（Ｑ1、Ｑ2）をソフトスイッチングさせることができるように前記補助スイッチ（Ｑ3）を所定のオン期間と所定の周波数を有して繰り返してオン・オフ制御するための第３の制御信号（Ｖｇ3）を形成し、この第３の制御信号（Ｖｇ3）を前記補助スイッチ（Ｑ3）に供給する第３の機能とを有している制御回路（８又は８ａ又は８ｂ）と
を備えたスイッチング電源装置。
【手続補正２】
【補正対象書類名】明細書
【補正対象項目名】請求項４
【補正方法】変更
【補正の内容】
【請求項４】
前記制御回路は、
前記整流回路（４）の入力電圧又は出力電圧を検出する第１の電圧検出手段（２３）と、
前記平滑用コンデンサ（Ｃ1）の電圧を検出する第２の電圧検出手段（２４）と、
前記整流平滑回路（６又は６ａ）の出力電圧を検出する第３の電圧検出手段（２５）と、
前記整流回路（４）の入力電流又は出力電流を検出する電流検出手段（９）と、
前記交流電圧の周波数よりも高い繰返し周波数で鋸波電圧又は三角波電圧からなる周期性電圧波形を発生する波形発生器（２９）と、
前記第１の電圧検出手段（２３）と第２の電圧検出手段（２４）と前記電流検出手段（９）と前記波形発生器（２９）とに接続され、前記平滑用コンデンサ（Ｃ1）の電圧が所望値になり且つ前記整流回路（４）の入力電流の波形が正弦波に近似するように前記第１の主スイッチ（Ｑ1）のオン期間の幅を決定する第１のオン幅決定手段（２６、２６ａ、２７、２８、３０）と、
前記第３の電圧検出手段（２５）と前記波形発生器（２９）とに接続され、前記整流平滑回路（６又は６ａ）の出力電圧が所望値になるように前記第２の主スイッチ（Ｑ2）のオン期間の幅を決定する第２のオン幅決定手段（３１、３２、３３）と、
前記波形発生器（２９）に接続され、前記周期性電圧波形に同期して前記補助スイッチ（Ｑ３）のオン期間を決定するためのタイマ手段（３７）と、
前記第１及び第２の主スイッチ（Ｑ1、Ｑ2）のオン幅を制限するために、前記補助スイッチ（Ｑ３）のオン開始時点から所定時間が経過する時点までの期間に第１の電圧レベルになり、この期間以外に第２の電圧レベルになるオン幅制限信号（Ｖ34）を形成する手段（３４）と、
前記第１のオン幅決定手段（３０）と前記オン幅制限信号（Ｖ34）の形成手段（３４）とに接続され、前記第１のオン幅決定手段（３０）で決定されたオン期間を、前記オン幅制限信号（Ｖ34）の前記第１の電圧レベルの期間だけ短くする第１の論理回路（３５）と、
前記第２のオン幅決定手段（３３）と前記オン幅制限信号（Ｖ34）の形成手段（３４）とに接続され、前記第２のオン幅決定手段（３３）で決定されたオン期間を、前記オン幅制限信号（Ｖ34）の前記第１の電圧レベルの期間だけ短くする第２の論理回路（３６）と
から成ることを特徴とする請求項１記載のスイッチング電源装置。
【手続補正３】
【補正対象書類名】明細書
【補正対象項目名】請求項６
【補正方法】変更
【補正の内容】
【請求項６】
前記制御回路は、
前記整流回路（４）の入力電圧又は出力電圧を検出する第１の電圧検出手段（２３）と、
前記平滑用コンデンサ（Ｃ1）の電圧を検出する第２の電圧検出手段（２４）と、
前記整流平滑回路（６又は６ａ）の出力電圧を検出する第３の電圧検出手段（２５）と、
前記整流回路（４）の入力電流又は出力電流を検出する電流検出手段（９）と、
前記交流電圧の周波数よりも高い繰返し周波数で鋸波電圧又は三角波電圧からなる周期性電圧波形を発生する波形発生器（２９）と、
前記第１の電圧検出手段（２３）と第２の電圧検出手段（２４）と前記電流検出手段（９）と前記波形発生器（２９）とに接続され、前記平滑用コンデンサ（Ｃ1）の電圧が所望値になり且つ前記整流回路（４）の入力電流の波形が正弦波に近似するように前記第１の主スイッチ（Ｑ1）のオン期間の幅を決定する第１のオン幅決定手段（２６、２６ａ、２７、２８、３０）と、
前記第３の電圧検出手段（２５）と前記波形発生器（２９）とに接続され、前記整流平滑回路（６又は６ａ）の出力電圧が所望値になるように前記第２の主スイッチ（Ｑ2）のオン期間の幅を決定する第２のオン幅決定手段（３１、３２、３３）と、
前記波形発生器（２９）に接続され、前記周期性電圧波形に同期して前記補助スイッチ（Ｑ３）のオン期間を決定するためのタイマ手段（３７）と、
前記第１の主スイッチ（Ｑ1）のオン幅を制限するために、前記補助スイッチ（Ｑ3）のオン開始時点から第１の所定時間が経過する時点までの第１の期間に第１の電圧レベルとなり、この第１の期間以外に第２の電圧レベルとなる第１のオン幅制限信号（Ｖ34ａ）を形成する手段（３４ａ）と、
前記第２の主スイッチ（Ｑ２）のオン幅を制限するために、前記補助スイッチ（Ｑ3）のオン開始時点から第２の所定時間が経過する時点までの第２の期間に第１の電圧レベルになり、この第２の期間以外に第２の電圧レベルになる第２のオン幅制限信号（Ｖ34ｂ）を形成する手段（34ｂ）と、
前記第１のオン幅決定手段（３０）と前記第１のオン幅制限信号の形成手段（３４ａ）とに接続され、前記第１のオン幅決定手段（３０）で決定されたオン期間を、前記第１のオン幅制限信号（Ｖ３４ａ）の前記第１の電圧レベルの期間だけ短くする第１の論理回路（３５）と、
前記第２のオン幅決定手段（３３）と前記第２のオン幅制限信号の形成手段（３４ｂ）とに接続され、前記第２のオン幅決定手段（３３）で決定されたオン期間を、前記第２のオン幅制限信号（Ｖ３４ｂ）の前記第１の電圧レベルの期間だけ短くする第２の論理回路（３６）と
から成ることを特徴とする請求項１記載のスイッチング電源装置。
【手続補正４】
【補正対象書類名】明細書
【補正対象項目名】請求項８
【補正方法】変更
【補正の内容】
【請求項８】
前記制御回路は、
前記整流回路（４）の入力電圧又は出力電圧を検出する第１の電圧検出手段（２３）と、
前記平滑用コンデンサ（Ｃ1）の電圧を検出する第２の電圧検出手段（２４）と、
前記整流平滑回路（６又は６ａ）の出力電圧を検出する第３の電圧検出手段（２５）と、
前記整流回路（４）の入力電流又は出力電流を検出する電流検出手段（９）と、
前記交流電圧の周波数よりも高い繰返し周波数で鋸波電圧又は三角波電圧からなる周期性電圧波形を発生する波形発生器（２９）と、
前記第１の電圧検出手段（２３）と第２の電圧検出手段（２４）と前記電流検出手段（９）と前記波形発生器（２９）とに接続され、前記平滑用コンデンサ（Ｃ1）の電圧が所望値になり且つ前記整流回路（４）の入力電流の波形が正弦波に近似するように前記第１の主スイッチ（Ｑ1）のオン期間の幅を決定する第１のオン幅決定手段（２６、２６ａ、２７、２８、３０）と、
前記第３の電圧検出手段（２５）と前記波形発生器（２９）とに接続され、前記整流平滑回路（６又は６ａ）の出力電圧が所望値になるように前記第２の主スイッチ（Ｑ2）のオン期間の幅を決定する第２のオン幅決定手段（３１、３２、３３）と、
前記波形発生器（２９）に接続され、前記周期性電圧波形に同期して前記補助スイッチ（Ｑ３）のオン期間を決定するためのタイマ手段（３７）と、
前記第１の主スイッチ（Ｑ1）の前記第１及び第２の主端子間の電圧（Ｖｑ1）を検出する第１の主スイッチ電圧検出手段（３８）と、
前記第２の主スイッチ（Ｑ2）の前記第１及び第２の主端子間の電圧（Ｖｑ２）を検出する第２の主スイッチ電圧検出手段（３９）と、
同一又は異なる値を有する第１及び第２の基準電圧（Ｖａ、Ｖｂ）を発生する基準電圧源手段（５４、５８）と、
前記第１の主スイッチ電圧検出手段（３８）から得られた第１のスイッチ電圧（Ｖｑ1）が前記第１の基準電圧（Ｖａ）よりも低くなったか否かを検出する第１の比較器（５３）と、
前記第２の主スイッチ電圧検出手段（３９）から得られた第２のスイッチ電圧（Ｖｑ２）が前記第２の基準電圧（Ｖｂ）よりも低くなったか否かを検出する第２の比較器（５７）と、
前記補助スイッチ（Ｑ3）のオン開始時点（ｔｏ）から前記第１のスイッチ電圧（Ｖｑ1）が前記第１の基準電圧（Ｖａ）よりも低くなったことを示す出力が前記第１の比較器（５３）から得られた時点（ｔ2）までの第１の期間に第１の電圧レベルとなり、前記第１の期間以外は第２の電圧レベルとなる第１のオン幅制限信号（Ｖ51）を形成する手段（５６）と、
前記補助スイッチ（Ｑ３）のオン開始時点（ｔｏ）から前記第２のスイッチ電圧（Ｖｑ２）が前記第２の基準電圧（Ｖｂ）よりも低くなったことを示す出力が前記第２の比較器（５７）から得られた時点（ｔ1）までの第２の期間に第１の電圧レベルとなり、前記第２の期間以外は前記第２の電圧レベルとなる第２のオン幅制限信号（Ｖ52）を形成する手段（６０）と、
前記第１のオン幅決定手段と前記第１のオン幅制限信号の形成手段（５６）とに接続され、前記第１のオン幅決定手段（３０）で決定されたオン期間を、前記第１のオン幅制限信号（Ｖ51）の前記第１の電圧レベルの期間だけ短くする第１の論理回路（３５）と、
前記第２のオン幅決定手段と前記第２のオン幅制限信号の形成手段（６０）とに接続され、前記第２のオン幅決定手段（３３）で決定されたオン期間を、前記第２のオン幅制限信号（Ｖ52）の前記第１の電圧レベルの期間だけ短くする第２の論理回路（３６）と
から成ることを特徴とする請求項１記載のスイッチング電源装置。
【手続補正５】
【補正対象書類名】明細書
【補正対象項目名】０００７
【補正方法】変更
【補正の内容】
【０００７】
【課題を解決するための手段】
上記課題を解決し、上記目的を達成するための本発明を、実施形態を示す図面の符号を参照して説明する。但し、各請求項及び次の本発明の説明おいて記載されている参照符号は、本発明の理解を助けるためのものであり、本発明を限定するものではない。
本発明に係わるスイッチング電源装置は、交流電源から供給された正弦波交流電圧を直流電圧に変換するためのものであって、
交流電圧を供給するための第１及び第２の交流入力端子（１、２）と、
前記第１及び第２の交流入力端子（１、２）に接続され且つ第１及び第２の整流出力導体を有している整流回路（４）と、
前記整流回路の前記第１の整流出力導体に接続された一端を有している主インダクタンス巻線（Ｌ1）と、
前記主インダクタンス巻線（Ｌ1）の他端に接続された第１の主端子と前記整流回路の前記第２の整流出力導体に接続された第２の主端子と制御端子とを有している第１の主スイッチ（Ｑ1）と、
第１の主スイッチ（Ｑ1）に並列に接続されたコンデンサ又は寄生容量から成る第１のソフトスイッチング用キャパシタンス手段（Ｃｑ1）と、
整流ダイオ−ド（Ｄ1）を介して前記第１の主スイッチ（Ｑ1）に並列に接続された平滑用コンデンサ（Ｃ1）と、
主巻線（Ｎ１）を有しているトランスと、
前記主巻線（Ｎ１）を介して前記平滑用コンデンサ（Ｃ1）の前記一端に接続された第１の主端子と前記平滑用コンデンサ（Ｃ1）の前記他端に接続された第２の主端子と制御端子とを有している第２の主スイッチ（Ｑ2）と、
前記第２の主スイッチ（Ｑ２）に並列に接続されたコンデンサ又は寄生容量から成る第２のソフトスイッチング用キャパシタンス手段（Ｃｑ2）と、
直流電圧を得るために前記トランスに接続された整流平滑回路（６又は６ａ）と、
前記主インダクタンス巻線（Ｌ1）の一端又は他端に接続された一端を有し且つ前記主インダクタタンス巻線（Ｌ1）に電磁結合されている第１の補助インダクタンス巻線（Ｌａ）と、
前記第１の補助インダクタンス巻線（Ｌａ）の他端に接続された第１の主端子と前記整流回路（４）の前記第２の整流出力導体に接続された第２の主端子と制御端子とを有している補助スイッチ（Ｑ3）と、
前記第１の補助インダクタンス巻線（Ｌａ）に直列に接続された第１の逆流阻止用ダイオ−ド（Ｄａ）と、
前記平滑用コンデンサ（Ｃ1）の前記一端と前記第２の主スイッチ（Ｑ2）の前記第１の主端子との間の任意の位置（Ｐ2又はＰ3又はＰ4）に接続された一端と前記補助スイッチ（Ｑ3）の前記第１の主端子に接続された他端とを有し且つ前記主巻線（Ｎ1）に電磁結合されている第２の補助インダクタンス巻線（Ｌｂ）と、
前記第２の補助インダクタンス巻線（Ｌｂ）に直列に接続された第２の逆流阻止用ダイオ−ド（Ｄｂ）と、
前記第１及び第２の主スイッチ（Ｑ1、Ｑ2）の前記制御端子及び前記補助スイッチ（Ｑ３）の前記制御端子にそれぞれ接続され、前記第１及び第２の交流入力端子（１、２）間の交流電圧の周波数よりも高い繰返し周波数で前記第１の主スイッチ（Ｑ1）をオン・オフ制御するための第1の制御信号（Ｖｇ1）を形成し、この第1の制御信号（Ｖｇ1）を前記第1の主スイッチ（Ｑ1）に供給する第１の機能と、前記平滑用コンデンサ（Ｃ1）の直流電圧を前記主巻線（Ｎ1）に断続的に印加するように前記第２の主スイッチ（Ｑ2）をオン・オフ制御するための第2の制御信号（Ｖｇ2）を形成し、この第2の制御信号（Ｖｇ2）を前記第2の主スイッチ（Ｑ2）に供給する第２の機能と、前記第１の主スイッチ（Ｑ1）のタ−ンオン時及び前記第２の主スイッチ（Ｑ2）のタ−ンオン時に前記第１及び第２の主スイッチ（Ｑ1、Ｑ2）をソフトスイッチングさせることができるように前記補助スイッチ（Ｑ3）を所定のオン期間と所定の周波数を有して繰り返してオン・オフ制御するための第３の制御信号（Ｖｇ3）を形成し、この第３の制御信号（Ｖｇ3）を前記補助スイッチ（Ｑ3）に供給する第３の機能とを有している制御回路（８又は８ａ又は８ｂ）と
を備えている。
【手続補正６】
【補正対象書類名】明細書
【補正対象項目名】０００８
【補正方法】変更
【補正の内容】
【０００８】
なお、請求項２に示すように、前記第１の主スイッチ（Ｑ1）のオン・オフ繰返し周波数と前記第２の主スイッチ（Ｑ2）のオン・オフ繰返し周波数とが同一であることが望ましい。
また、請求項３に示すように、前記第１の主スイッチ（Ｑ1）のタ−ンオン制御時点と前記第２の主スイッチ（Ｑ2）のタ−ンオン制御時点とが同一であることが望ましい。
また、請求項４に示ように、前記制御回路は、前記整流回路（４）の入力電圧又は出力電圧を検出する第１の電圧検出手段（２３）と、前記平滑用コンデンサ（Ｃ1）の電圧を検出する第２の電圧検出手段（２４）と、前記整流平滑回路（６又は６ａ）の出力電圧を検出する第３の電圧検出手段（２５）と、前記整流回路（４）の入力電流又は出力電流を検出する電流検出手段（９）と、前記交流電圧の周波数よりも高い繰返し周波数で鋸波電圧又は三角波電圧からなる周期性電圧波形を発生する波形発生器（２９）と、前記第１の電圧検出手段（２３）と第２の電圧検出手段（２４）と前記電流検出手段（９）と前記波形発生器（２９）とに接続され、前記平滑用コンデンサ（Ｃ1）の電圧が所望値になり且つ前記整流回路（４）の入力電流の波形が正弦波に近似するように前記第１の主スイッチ（Ｑ1）のオン期間の幅を決定する第１のオン幅決定手段（２６、２６ａ、２７、２８、３０）と、前記第３の電圧検出手段（２５）と前記波形発生器（２９）とに接続され、前記整流平滑回路（６又は６ａ）の出力電圧が所望値になるように前記第２の主スイッチ（Ｑ2）のオン期間の幅を決定する第２のオン幅決定手段（３１、３２、３３）と、前記波形発生器（２９）に接続され、前記周期性電圧波形に同期して前記補助スイッチ（Ｑ３）のオン期間を決定するためのタイマ手段（３７）と、前記第１及び第２の主スイッチ（Ｑ1、Ｑ2）のオン幅を制限するために、前記補助スイッチ（Ｑ３）のオン開始時点から所定時間が経過する時点までの期間に第１の電圧レベルになり、この期間以外に第２の電圧レベルになるオン幅制限信号（Ｖ34）を形成する手段（３４）と、前記第１のオン幅決定手段（３０）と前記オン幅制限信号（Ｖ34）の形成手段（３４）とに接続され、前記第１のオン幅決定手段（３０）で決定されたオン期間を、前記オン幅制限信号（Ｖ34）の前記第１の電圧レベルの期間だけ短くする第１の論理回路（３５）と、前記第２のオン幅決定手段（３３）と前記オン幅制限信号（Ｖ34）の形成手段（３４）とに接続され、前記第２のオン幅決定手段（３３）で決定されたオン期間を、前記オン幅制限信号（Ｖ34）の前記第１の電圧レベルの期間だけ短くする第２の論理回路（３６）とから成ることが望ましい。
また、請求項５に示すように、前記オン幅制限信号（Ｖ34）を形成する手段は、前記周期性電圧波形（Ｖｔ）に同期して前記所定時間に前記第１の電圧レベルを出力するタイマ手段（３４）であることが望ましい。
また、請求項６に示すように、第１及び第２の主スイッチ（Ｑ1、Ｑ2）のオン幅を制限するために独立した第１及び第２のオン幅制限信号（Ｖ34ａ、Ｖ34ｂ）
を形成することができる。
また、請求項７に示すように、前記第１のオン幅制限信号を形成する手段は、前記波形発生器（２９）に接続され、前記周期性電圧波形（Ｖｔ）に同期して第１の所定時間に第１の電圧レベルになる信号を出力する第１のタイマ（３４ａ）であり、前記第２のオン幅制限信号を形成する手段は、前記波形発生器（２９）に接続され、前記周期性電圧波形（Ｖｔ）に同期して第２の所定時間に第１の電圧レベルになる信号を出力する第２のタイマ（３４ｂ）であることが望ましい。
また、請求項８に示すように、前記制御回路は、前記整流回路（４）の入力電圧又は出力電圧を検出する第１の電圧検出手段（２３）と、前記平滑用コンデンサ（Ｃ1）の電圧を検出する第２の電圧検出手段（２４）と、前記整流平滑回路（６又は６ａ）の出力電圧を検出する第３の電圧検出手段（２５）と、前記整流回路（４）の入力電流又は出力電流を検出する電流検出手段（９）と、前記交流電圧の周波数よりも高い繰返し周波数で鋸波電圧又は三角波電圧からなる周期性電圧波形を発生する波形発生器（２９）と、前記第１の電圧検出手段（２３）と第２の電圧検出手段（２４）と前記電流検出手段（９）と前記波形発生器（２９）とに接続され、前記平滑用コンデンサ（Ｃ1）の電圧が所望値になり且つ前記整流回路（４）の入力電流の波形が正弦波に近似するように前記第１の主スイッチ（Ｑ1）のオン期間の幅を決定する第１のオン幅決定手段（２６、２６ａ、２７、２８、３０）と、前記第３の電圧検出手段（２５）と前記波形発生器（２９）とに接続され、前記整流平滑回路（６又は６ａ）の出力電圧が所望値になるように前記第２の主スイッチ（Ｑ2）のオン期間の幅を決定する第２のオン幅決定手段（３１、３２、３３）と、前記波形発生器（２９）に接続され、前記周期性電圧波形に同期して前記補助スイッチ（Ｑ３）のオン期間を決定するためのタイマ手段（３７）と、前記第１の主スイッチ（Ｑ1）の前記第１及び第２の主端子間の電圧（Ｖｑ1）を検出する第１の主スイッチ電圧検出手段（３８）と、前記第２の主スイッチ（Ｑ2）の前記第１及び第２の主端子間の電圧（Ｖｑ２）を検出する第２の主スイッチ電圧検出手段（３９）と、同一又は異なる値を有する第１及び第２の基準電圧（Ｖａ、Ｖｂ）を発生する基準電圧源手段（５４、５８）と、前記第１の主スイッチ電圧検出手段（３８）から得られた第１のスイッチ電圧（Ｖｑ1）が前記第１の基準電圧（Ｖａ）よりも低くなったか否かを検出する第１の比較器（５３）と、前記第２の主スイッチ電圧検出手段（３９）から得られた第２のスイッチ電圧（Ｖｑ２）が前記第２の基準電圧（Ｖｂ）よりも低くなったか否かを検出する第２の比較器（５７）と、前記補助スイッチ（Ｑ3）のオン開始時点（ｔｏ）から前記第１のスイッチ電圧（Ｖｑ1）が前記第１の基準電圧（Ｖａ）よりも低くなったことを示す出力が前記第１の比較器（５３）から得られた時点（ｔ2）までの第１の期間に第１の電圧レベルとなり、前記第１の期間以外は第２の電圧レベルとなる第１のオン制限信号（Ｖ51）を形成する手段（５６）と、前記補助スイッチ（Ｑ3）のオン開始時点（ｔｏ）から前記第２のスイッチ電圧（Ｖｑ２）が前記第２の基準電圧（Ｖｂ）よりも低くなったことを示す出力が前記第２の比較器（５７）から得られた時点（ｔ1）までの第２の期間に第１の電圧レベルとなり、前記第２の期間以外は前記第２の電圧レベルとなる第２のオン幅制限信号（Ｖ52）を形成する手段（６０）と、前記第１のオン幅決定手段と前記第１のオン幅制限信号の形成手段（５６）とに接続され、前記第１のオン幅決定手段（３０）で決定されたオン期間を、前記第１のオン幅制限信号（Ｖ51）の前記第１の電圧レベルの期間だけ短くする第１の論理回路（３５）と、前記第２のオ��幅決定手段と前記第２のオン幅制限信号の形成手段（６０）とに接続され、前記第２のオン幅決定手段（３３）で決定されたオン期間を、前記第２のオン幅制限信号（Ｖ52）の前記第１の電圧レベルの期間だけ短くする第２の論理回路（３６）とから成ることが望ましい。
また、請求項９に示すように、前記トランスは、２次巻線（Ｎ2）を有し、前記整流平滑回路（６又は６ａ）は前記第２次巻線（Ｎ2）に接続されていることが望ましい。
また、請求項１０に示すように、前記整流平滑回路（6）は、前記２次巻線（Ｎ2）の一端に接続された整流用ダイオ−ド（Ｄｏ）と、前記２次巻線（Ｎ2）に前記整流用ダイオ−ド（Ｄｏ）を介して並列に接続された平滑用コンデンサ（Ｃｏ）とから成り、前記整流用ダイオ−ド（Ｄｏ）は前記第２の主スイッチ（Ｑ2）のオフ期間に前記２次巻線に（Ｎ2）発生する電圧で導通状態になる極性を有していることが望ましい。
また、請求項１１に示すように、前記整流平滑回路（６ａ）は、前記２次巻線（Ｎ2）の一端に接続された整流用ダイオ−ド（Ｄｏ）と、前記２次巻線（Ｎ2）に整流用ダイオ−ド（Ｄｏ）を介して接続された平滑回路（Ｌｏ、Ｃｏ、Ｄｏ1）とから成り、前記整流用ダイオ−ド（Ｄｏ）は前記第２の主スイッチ（Ｑ2）のオン期間に前記２次巻線（Ｎ2）に発生する電圧で導通状態になる極性を有していることが望ましい。
【手続補正７】
【補正対象書類名】明細書
【補正対象項目名】００１４
【補正方法】変更
【補正の内容】
【００１４】
主インダクタンス巻線Ｌ1 は力率改善及び昇圧のために設けられており、この主インダクタンス巻線Ｌ1 の一端は第１の整流出力導体４３に接続されている。なお、主インダクタンス巻線Ｌ1 は磁性体コア１０に巻き回され、且つ補助回路７の第１の補助インダクタンス巻線Laもコア１０に巻き回されている。主インダクタンス巻線Ｌ1、及び第１の補助インダクタンス巻線Ｌａはそれぞれ洩れインダクタンスを有する。
【手続補正８】
【補正対象書類名】明細書
【補正対象項目名】００３７
【補正方法】変更
【補正の内容】
【００３７】
第２の論理回路としての第２のＡＮＤゲート３６の一方の入力端子は第２の比較器３３に接続され、他方の入力端子は第１のタイマ３４に接続されている。従って、第２のＡＮＤゲート３６は、第２の比較器３３の出力電圧Ｖ33と第１のタイマ３４の出力電圧Ｖ34との論理積出力から成る図３（Ｈ）に示す第２の制御信号Ｖg2を導体１８に送出する。第２のＡＮＤゲート３６から得られる図３（Ｈ）の第２の制御信号Ｖg2は、第２のスイッチＱ2 をオンにするためにｔ1 〜ｔ4 期間において論理の１即ち第２の電圧レベルになる。
【手続補正９】
【補正対象書類名】明細書
【補正対象項目名】００３８
【補正方法】変更
【補正の内容】
【００３８】
第２のタイマ３７は補助スイッチＱ3のオン期間を決定するためのものであって、鋸波発生器２９の第２の出力導体２９ｂに接続されている。
この第２のタイマ３７は、鋸波電圧Ｖt の１周期の開始時点ｔ0 に同期して図３（Ｉ）のｔo 〜ｔ2 に示す第２の時間幅Ｔ2 のパルスから成る第３の制御信号Ｖg3を導体１９に送出する。第２の時間幅Ｔ2 は図３（Ｆ）に示す第１の時間幅Ｔ1 よりも長い。第２のタイマ３７は第３の制御信号Ｖg3の形成回路とも呼ぶことができるものである。図３において、ｔ0 〜ｔ5 で鋸波電圧Ｖt の１周期が終了した後には、ｔ5 〜ｔ6 の次の１周期でｔ0 〜ｔ5 と同一の動作が生じる。
【手続補正１０】
【補正対象書類名】明細書
【補正対象項目名】００３９
【補正方法】変更
【補正の内容】
【００３９】
図３（Ｇ）（Ｈ）（Ｉ）の第１、第２及び第３の制御信号Ｖg1、Ｖg2、Ｖg3の比較から明らかなように、第３の制御信号Ｖg3は第１及び第２の主スイッチＱ1 、Ｑ2 のオン開始時点ｔ1 よりも時間幅Ｔ1 だけ前のｔ0で補助スイッチＱ3 のオン制御を開始する。この結果、第１及び第２の主スイッチＱ1 、Ｑ2 のターンオン時のソフトスイッチングが可能になる。第１のタイマ３４の第１の時間幅Ｔ1 は、補助スイッチＱ3 のオン開始時点ｔ0 から第１及び第２の主スイッチＱ1 、Ｑ2 の電圧Ｖｑ1、Ｖｑ2が実質的に零又は各主スイッチＱ1 、Ｑ2 のオフ期間の電圧よりも低い値になる時点までの長さに設定される。第３の制御信号Ｖg3が論理の１から０に戻る時点即ち補助スイッチＱ3 のオン期間の終了時点ｔ2は、第１及び第２の主スイッチＱ1 、Ｑ2 の内で先にオン期間の終了するもののオン終了時点ｔ3よりも前、又は遅くともｔ３時点に設定される。
【手続補正１１】
【補正対象書類名】明細書
【補正対象項目名】００４６
【補正方法】変更
【補正の内容】
【００４６】
（ｔ1 〜ｔ2 ）
図５（Ｃ）に示すようにｔ1 時点で補助スイッチＱ3 の制御信号Ｖg3が高レベルに転換し、補助スイッチＱ3 がオン状態に転換すると、この補助スイッチＱ3 の電圧Ｖｑ3は図５（Ｈ）に示すようにほぼ零になる。この結果、ｔ1 〜ｔ2 期間には、第１の整流出力導体４３、主インダクタンス巻線Ｌ1 、第１の補助インダクタンス巻線Ｌa 、第１の逆流阻止用ダイオードＤa 、補助スイッチＱ3 及び第２の整流出力導体４４から成る第１の経路に図５（Ｋ）に示す電流Ｉdaが流れ、同時に、平滑用コンデンサＣ1 、１次巻線Ｎ1 、第２の補助インダクタンス巻線Ｌb 、第２の逆流阻止用ダイオードＤb 、及び補助スイッチＱ3 から成る第２の経路に図５（Ｌ）に示す電流Ｉdbが流れる。図５（Ｉ）に示す補助スイッチＱ3 の電流Ｉq3は図５（Ｋ）の第１の経路の電流Ｉdaと図５（Ｌ）の第２の経路の電流Ｉdbとの和である。第１及び第２の経路にはインダクタンスがそれぞれ含まれているので、補助スイッチＱ3 の電流Ｉq3はｔ1 時点から徐々に増大する。この結果、補助スイッチＱ3 のターンオン時は零電流スイッチング即ちＺＣＳとなり、電力損失が生じない。
ｔ1 時点で補助スイッチＱ3 がオン状態になると、ダイオードＤ1 と平滑用コンデンサＣ1 とから成る第１の直列回路に対して第１の補助インダクタンス巻線Ｌa と第１の逆流阻止用ダイオードＤa と補助スイッチＱ3 とから成る第２の直列回路が並列に接続される。ダイオードＤ1 が導通している時には、主インダクタンス巻線Ｌ1 と第１の補助インダクタンス巻線Ｌa との相互接続点Ｐ1 に、平滑用コンデンサＣ1 の電圧Ｖc1がダイオードＤ1 を介して印加されている。従って、ダイオードＤ1 がオンしている時には、第１のソフトスイッチング用コンデンサＣq1が平滑用コンデンサＣ1 の電圧Ｖc1でクランプされており、ｔ1 で補助スイッチＱ3 がオンしても第１のソフトスイッチング用コンデンサＣq1は直ちに放電を開始しない。ｔ1 時点以後において補助スイッチＱ3 と整流ダイオードＤ1 との両方がオン状態にある時には、第１の補助インダクタンス巻線Ｌa と第１の逆流阻止用ダイオードＤa と補助スイッチＱ3 との第２の直列回路に対して平滑用コンデンサＣ1 の電圧Ｖc1がダイオードＤ1 を介して印加され、この第２の直列回路に流れる電流Ｉdaは図５（Ｋ）に示すように徐々に増大する。ｔ1 以後の整流ダイオードＤ1 と補助スイッチＱ3 との両方が導通している時には、整流ダイオードＤ1と平滑用コンデンサＣ1 とから成る第１の直列回路に対して第１の補助インダクタンス巻線Ｌa と第１の逆流阻止用ダイオードＤa と補助スイッチＱ3 とから成る第２の直列回路が並列に接続されているので、主インダクタンス巻線Ｌ1 から供給される電流は上記第１及び第２の直列回路に分流し、図５（Ｍ）に示すように第１の直列回路の整流ダイオードＤ1 を流れる電流Ｉd1はｔ1 以前よりも急な傾きで減少する。
また、主インダクタンス巻線Ｌ1 と第１の補助インダクタンス巻線Ｌaとは電磁結合されているので、図５のｔ1時点で第１の補助インダクタンス巻線Ｌa に電圧が印加されると、主インダクタンス巻線Ｌ1 から供給される電流が減少する。この結果、整流ダイオードＤ1 を流れる電流Ｉｄ1は比較的急に減少し、図５のｔ4 時点で零になる。
ｔ1 〜ｔ2 期間に、１次巻線Ｎ1 及び第２の補助インダクタンス巻線Ｌb を含む第２の経路に図５（Ｌ）に示す電流Ｉdbが流れる。この結果、１次巻線Ｎ1 及び第２の補助インダクタンス巻線Ｌb に電磁結合されている２次巻線Ｎ2 からダイオードＤo に供給される電流Ｉdoが図５（Ｊ）に示すように徐々に減少し、ｔ2 時点で零になる。
【手続補正１２】
【補正対象書類名】明細書
【補正対象項目名】００４７
【補正方法】変更
【補正の内容】
【００４７】
（ｔ2 〜ｔ3 ）
ｔ2 時点で２次側のダイオードＤo が非導通になると、コンデンサＣoの電圧Ｖo に基づく２次巻線Ｎ2 のクランプ状態が解除され、第２のソフトスイッチング用コンデンサＣq2の放電が可能になり、このコンデンサＣq2のキャパシタンスと第２の補助インダクタンス巻線Ｌb のインダクタンスとに基づく共振回路が形成される。この結果、第２のソフトスイッチング用コンデンサＣq2、第２の補助インダクタンス巻線Ｌb 、第２の逆流阻止用ダイオ−ドＤｂ及び補助スイッチＱ3 から成る経路で図５（Ｏ）に示すコンデンサＣq2を放電する電流Ｉcq2 が流れる。これにより、コンデンサＣq2及び第２の主スイッチＱ2 の電圧Ｖq2が図５（Ｆ）に示すように徐々に低下し、ｔ3 時点でほぼ零になる。なお、ｔ2 〜ｔ3 期間には、前のｔ1 〜ｔ2 期間と同様に、第１の整流出力導体４３、主インダクタンス巻線Ｌ1 、第１の補助インダクタンス巻線Ｌa 、第１の逆流阻止用ダイオードＤa 、補助スイッチＱ3 及び第２の整流出力導体４４から成る第１の経路に電流Ｉdaが流れ、且つ平滑用コンデンサＣ1 、１次巻線Ｎ1 、第２の補助インダクタンス巻線Ｌb 、第２の逆流阻止用ダイオードＤb 、及び補助スイッチＱ3 から成る第２の経路に電流Ｉdbが流れる。また、ダイオードＤ1 の電流Ｉd1も流れる。
【手続補正１３】
【補正対象書類名】明細書
【補正対象項目名】００５４
【補正方法】変更
【補正の内容】
【００５４】
（ｔ9 〜ｔ10）
ｔ9 〜ｔ10期間では、第１及び第２の主スイッチＱ1 、Ｑ2 がオン状態にあり、補助スイッチＱ3 がオフ状態にある。このため、第１の主スイッチＱ3 の電流Ｉq1で主インダクタＬ1 にエネルギが蓄積され、第２の主スイッチＱ1 の電流Ｉq2でトランス５にエネルギが蓄積される。
【手続補正１４】
【補正対象書類名】明細書
【補正対象項目名】００７３
【補正方法】変更
【補正の内容】
【００７３】
図９のスイッチング電源装置のトランス５の１次巻線N1よりも電源側の回路構成及びその動作は図８のスイッチング電源装置と実質的に同一である。図９のスイッチング電源装置の第２の主スイッチQ2を使用したＤＣ‐ＤＣコンバ−タ回路は図６のＤＣ‐ＤＣコンバ−タ回路と同一であって、一般にフォワ−ド型ＤＣ−ＤＣコンバ−タと呼ばれるものである。従って、図９の整流平滑回路６ａ及び２次巻線Ｎ２ａは図６で同一符号で示すものと同一に構成されており、同一に動作する。また、図９の主インダクタンス巻線Ｌ1及び第２の補助インダクタンス巻線Ｌａの構成及び接続は、図８と同一である。図９の第１及び第２の主スイッチＱ1、Ｑ2及び補助スイッチＱ3は、図６で同一符号で示すものと同一のタイミングでオン・オフ制御される。このため、図９の各部の電圧及び電流の波形は図７と実質的に同一に成る、従って、図９の動作を図７を参照して説明する。
【手続補正１５】
【補正対象書類名】図面
【補正対象項目名】図３
【補正方法】変更
【補正の内容】
【図３】
2003111407.tif 000001